(57)【要約】【課題】  万一の火災などの事態において被害の甚大化を抑制しうるＬＥＤ照明器具を提供すること。【解決手段】  ＬＥＤチップを具備するＬＥＤ発光部２と、ＬＥＤ発光部２からの光を拡散させつつ透過させる透光拡散カバー３と、を備えるＬＥＤ照明器具Ａ１であって、透光拡散カバー３は、ＬＥＤ発光部２に対してＬＥＤ発光部２の主出射方向ｚに位置する部分を有し、外部に露出する強難燃性材料部３４とこの強難燃性材料部に接する定常材料部３３とを有しており、強難燃性材料部３４は、定常材料部４４よりも燃焼し難く、かつ溶融滴下し難い。【選択図】  図２
2015103294.tif 000002
【特許請求の範囲】
【請求項１】
ＬＥＤチップを具備するＬＥＤ発光部と、
上記ＬＥＤ発光部からの光を拡散させつつ透過させる透光拡散カバーと、
を備えるＬＥＤ照明器具であって、
上記透光拡散カバーは、上記ＬＥＤ発光部に対して上記ＬＥＤ発光部の主出射方向に位置する部分を有し、外部に露出する強難燃性材料部とこの強難燃性材料部に接する定常材料部とを有しており、
上記強難燃性材料部は、上記定常材料部よりも燃焼し難く、かつ溶融滴下し難いことを特徴とする、ＬＥＤ照明器具。
【請求項２】
上記強難燃性材料部は、上記定常材料部よりも透過率が高い、請求項１に記載のＬＥＤ照明器具。
【請求項３】
上記強難燃性材料部は、透明である、請求項２に記載のＬＥＤ照明器具。
【請求項４】
上記透光拡散カバーは、円筒形状であり、
複数の上記ＬＥＤ発光部が、上記透光拡散カバーの軸方向に沿って配列されており、
上記透光拡散カバーの軸方向両端に設けられた一対の口金を備え、
直管形蛍光灯の代替品として用いられる、請求項１ないし３のいずれかに記載のＬＥＤ照明器具。
【請求項５】
上記定常材料部は、円筒形状であり、
上記強難燃性材料部は、上記定常材料部の周方向における一部を覆っている、請求項４に記載のＬＥＤ照明器具。
【請求項６】
上記強難燃性材料部は、上記定常材料部の径方向外側に接合されたシートである、請求項５に記載のＬＥＤ照明器具。
【請求項７】
上記定常材料部のうち上記強難燃性材料部によって覆われた領域は、上記周方向において１２０°以上１８０°以下である、請求項６に記載のＬＥＤ照明器具。
【請求項８】
上記各口金は、上記透光拡散カバーの軸方向端部を収容する円筒部を有するケースを含んでおり、
上記ケースの上記円筒部には、上記強難燃性材料部を収容する凹部が形成されている、請求項６または７に記載のＬＥＤ照明器具。
【請求項９】
上記定常材料部は、円筒形状であり、
上記強難燃性材料部は、上記周方向において１８０°を超える領域を占める弾性材料からなり、かつ上記定常材料部に径方向外側から嵌めこまれている、請求項４に記載のＬＥＤ照明器具。
【請求項１０】
上記強難燃性材料部と上記定常材料部とは、上記周方向において互いに重ならずかつ隣り合っている、請求項４に記載のＬＥＤ照明器具。
【請求項１１】
上記複数のＬＥＤ発光部を支持し、かつ上記透光拡散カバーに収容された支持部材を備える、請求項４ないし１０のいずれかに記載のＬＥＤ照明器具。
【請求項１２】
上記支持部材は、上記複数のＬＥＤ発光部が搭載された基板と、この基板が取り付けられた放熱部材とを含む、請求項１１に記載のＬＥＤ照明器具。
【請求項１３】
上記基板は、長矩形状である、請求項１２に記載のＬＥＤ照明器具。
【請求項１４】
上記放熱部材は、上記透光拡散カバーの軸方向に延びる長矩形状とされ、かつ上記基板が取り付けられた天板部と、上記天板部の幅方向両端から上記主出射方向とは反対側に延びる一対の側板部と、を有する、請求項１３に記載のＬＥＤ照明器具。
【請求項１５】
上記各側板部には、上記天板部の幅方向外方に突出する外方リブが設けられており、
上記透光拡散カバーには、上記天板部の幅方向内方に突出し、かつ上記放熱部材の上記外方リブに係合する内方リブが設けられている、請求項１４に記載のＬＥＤ照明器具。
【請求項１６】
上記透光拡散カバーは、部分円筒形状であり、
複数の上記ＬＥＤ発光部が、上記透光拡散カバーの軸方向に沿って配列されており、
上記複数のＬＥＤ発光部を支持し、かつ上記透光拡散カバーから上記主出射方向とは反対側に露出する支持部材を備える、請求項１ないし３のいずれかに記載のＬＥＤ照明器具。
【請求項１７】
上記支持部材は、上記透光拡散カバーから露出する複数のフィンを有する放熱部材を含む、請求項１６に記載のＬＥＤ照明器具。
【請求項１８】
上記定常材料部は、部分円筒形状であり、
上記強難燃性材料部は、上記定常材料部の周方向における一部を覆っている、請求項１６または１７に記載のＬＥＤ照明器具。
【請求項１９】
上記強難燃性材料部は、上記定常材料部の径方向外側に接合されたシートである、請求項１８に記載のＬＥＤ照明器具。
【請求項２０】
上記定常材料部のうち上記強難燃性材料部によって覆われた領域は、上記周方向において１２０°以上１８０°以下である、請求項１８または１９に記載のＬＥＤ照明器具。
【請求項２１】
上記定常材料部は、部分円筒形状であり、
上記強難燃性材料部は、上記周方向において１８０°を超える領域を占める弾性材料からなり、かつ上記定常材料部に径方向外側から嵌めこまれている、請求項１６に記載のＬＥＤ照明器具。
【請求項２２】
上記強難燃性材料部は、上記周方向において上記支持部材と重なる部位を有する、請求項２１に記載のＬＥＤ照明器具。
【請求項２３】
上記強難燃性材料部と上記定常材料部とは、上記周方向において互いに重ならずかつ隣り合っている、請求項１６に記載のＬＥＤ照明器具。
【請求項２４】
上記透光拡散カバーは部分球殻形状であり、
上記透光拡散カバーに対して上記主出射方向とは反対側に配置された口金を備え、
電球の代替品として用いられる、請求項１ないし３のいずれかに記載のＬＥＤ照明器具。
【請求項２５】
複数の上記ＬＥＤ発光部が上記出射方向と交差する方向に二次元的に配置されており、
天井直付灯として用いられる、請求項１ないし３のいずれかに記載のＬＥＤ照明器具。
【発明の詳細な説明】
【技術分野】
【０００１】
本発明は、ＬＥＤ照明器具に関する。
【背景技術】
【０００２】
省電力化を目的として、蛍光灯に代わる照明手段としてＬＥＤ発光部を有するＬＥＤ照明器具が提案されている。図１７は、従来のＬＥＤ照明器具の一例を示している（特許文献１参照）。同図に示すＬＥＤ照明器具Ｘは、支持部材９１、複数のＬＥＤ発光部９２、透光拡散カバー９３および電源部９４を備えている。透光拡散カバー９３は、円筒形状であり、支持部材９１、複数のＬＥＤ発光部９２および電源部９４を収容している。支持部材９１は、複数のＬＥＤ発光部９２を支持し、これらへの電流供給経路を構成する。また、支持部材９１は、複数のＬＥＤ発光部９２からの放熱を促進する機能を果たしうる。複数のＬＥＤ発光部９２は、透光拡散カバー９３の軸方向に沿って支持部材９１上に配列されている。電源部９４は、たとえば商用の１００Ｖ電力をＬＥＤ発光部９２の発光に適した直流電力に変換する。透光拡散カバー９３は、ＬＥＤ発光部９２からの光を拡散させつつ透過させるものであり、たとえば透明な樹脂材料に白色などの拡散材が混入された材質からなる。ＬＥＤ照明器具Ｘは、一般的な直管形蛍光灯の代替品として用いられる。
【０００３】
平成１５年に韓国で発生した地下鉄火災においては、車両の天井材が燃焼または溶融滴下したことにより乗客の被害が甚大化した、と指摘されている。このため、今後は、車両の天井材には、より燃焼しにくく、かつより溶融滴下しにくいという性状が求められると考えられる。車両に取り付けられていた照明器具の透光拡散カバーも、このような性状が求められる天井材のひとつにあたる。ＬＥＤ照明器具Ｘの透光拡散カバー９３を構成する拡散材が混入された樹脂は、燃焼し難く、かつ溶融滴下し難い性状に仕上げることが比較的困難である。
【先行技術文献】
【特許文献】
【０００４】
【特許文献１】特開２００４−３３５４２６号公報
【発明の概要】
【発明が解決しようとする課題】
【０００５】
本発明は、上記した事情のもとで考え出されたものであって、万一の火災などの事態において被害の甚大化を抑制しうるＬＥＤ照明器具を提供することをその課題とする。
【課題を解決するための手段】
【０００６】
本発明によって提供されるＬＥＤ照明器具は、ＬＥＤチップを具備するＬＥＤ発光部と、上記ＬＥＤ発光部からの光を拡散させつつ透過させる透光拡散カバーと、を備えるＬＥＤ照明器具であって、上記透光拡散カバーは、上記ＬＥＤ発光部に対して上記ＬＥＤ発光部の主出射方向に位置する部分を有し、外部に露出する強難燃性材料部とこの強難燃性材料部に接する定常材料部とを有しており、上記強難燃性材料部は、上記定常材料部よりも燃焼し難く、かつ溶融滴下し難いことを特徴としている。
【０００７】
本発明の好ましい実施の形態においては、上記強難燃性材料部は、上記定常材料部よりも透過率が高い。
【０００８】
本発明の好ましい実施の形態においては、上記強難燃性材料部は、透明である。
【０００９】
本発明の好ましい実施の形態においては、上記透光拡散カバーは、円筒形状であり、複数の上記ＬＥＤ発光部が、上記透光拡散カバーの軸方向に沿って配列されており、上記透光拡散カバーの軸方向両端に設けられた一対の口金を備え、直管形蛍光灯の代替品として用いられる。
【００１０】
本発明の好ましい実施の形態においては、上記定常材料部は、円筒形状であり、上記強難燃性材料部は、上記定常材料部の周方向における一部を覆っている。
【００１１】
本発明の好ましい実施の形態においては、上記強難燃性材料部は、上記定常材料部の径方向外側に接合されたシートである。
【００１２】
本発明の好ましい実施の形態においては、上記定常材料部のうち上記強難燃性材料部によって覆われた領域は、上記周方向において１２０°以上１８０°以下である。
【００１３】
本発明の好ましい実施の形態においては、上記各口金は、上記透光拡散カバーの軸方向端部を収容する円筒部を有するケースを含んでおり、上記ケースの上記円筒部には、上記強難燃性材料部を収容する凹部が形成されている。
【００１４】
本発明の好ましい実施の形態においては、上記定常材料部は、円筒形状であり、上記強難燃性材料部は、上記周方向において１８０°を超える領域を占める弾性材料からなり、かつ上記定常材料部に径方向外側から嵌めこまれている。
【００１５】
本発明の好ましい実施の形態においては、上記強難燃性材料部と上記定常材料部とは、上記周方向において互いに重ならずかつ隣り合っている。
【００１６】
本発明の好ましい実施の形態においては、上記複数のＬＥＤ発光部を支持し、かつ上記透光拡散カバーに収容された支持部材を備える。
【００１７】
本発明の好ましい実施の形態においては、上記支持部材は、上記複数のＬＥＤ発光部が搭載された基板と、この基板が取り付けられた放熱部材とを含む。
【００１８】
本発明の好ましい実施の形態においては、上記基板は、長矩形状である。
【００１９】
本発明の好ましい実施の形態においては、上記放熱部材は、上記透光拡散カバーの軸方向に延びる長矩形状とされ、かつ上記基板が取り付けられた天板部と、上記天板部の幅方向両端から上記主出射方向とは反対側に延びる一対の側板部と、を有する。
【００２０】
本発明の好ましい実施の形態においては、上記各側板部には、上記天板部の幅方向外方に突出する外方リブが設けられており、上記透光拡散カバーには、上記天板部の幅方向内方に突出し、かつ上記放熱部材の上記外方リブに係合する内方リブが設けられている。
【００２１】
本発明の好ましい実施の形態においては、上記透光拡散カバーは、部分円筒形状であり、複数の上記ＬＥＤ発光部が、上記透光拡散カバーの軸方向に沿って配列されており、上記複数のＬＥＤ発光部を支持し、かつ上記透光拡散カバーから上記主出射方向とは反対側に露出する支持部材を備える。
【００２２】
本発明の好ましい実施の形態においては、上記支持部材は、上記透光拡散カバーから露出する複数のフィンを有する放熱部材を含む。
【００２３】
本発明の好ましい実施の形態においては、上記定常材料部は、部分円筒形状であり、上記強難燃性材料部は、上記定常材料部の周方向における一部を覆っている。
【００２４】
本発明の好ましい実施の形態においては、上記強難燃性材料部は、上記定常材料部の径方向外側に接合されたシートである。
【００２５】
本発明の好ましい実施の形態においては、上記定常材料部のうち上記強難燃性材料部によって覆われた領域は、上記周方向において１２０°以上１８０°以下である。
【００２６】
本発明の好ましい実施の形態においては、上記定常材料部は、部分円筒形状であり、上記強難燃性材料部は、上記周方向において１８０°を超える領域を占める弾性材料からなり、かつ上記定常材料部に径方向外側から嵌めこまれている。
【００２７】
本発明の好ましい実施の形態においては、上記強難燃性材料部は、上記周方向において上記支持部材と重なる部位を有する。
【００２８】
本発明の好ましい実施の形態においては、上記強難燃性材料部と上記定常材料部とは、上記周方向において互いに重ならずかつ隣り合っている。
【００２９】
本発明の好ましい実施の形態においては、上記透光拡散カバーは部分球殻形状であり、上記透光拡散カバーに対して上記主出射方向とは反対側に配置された口金を備え、電球の代替品として用いられる。
【００３０】
本発明の好ましい実施の形態においては、複数の上記ＬＥＤ発光部が上記出射方向と交差する方向に二次元的に配置されており、天井直付灯として用いられる。
【００３１】
このような構成によれば、上記ＬＥＤ発光部の主出射方向に、外部に露出した上記強難燃性材料部が設けられている。このため、万一の火災などの事態において、上記強難燃性材料部は、上記定常材料部３３よりも燃焼し難く、かつ溶融滴下し難いため、上記ＬＥＤ照明装置が延焼したり、溶融した液滴が落下することを抑制することができる。したがって、万一の火災などの事態において被害の甚大化を抑制しうる。
【００３２】
本発明のその他の特徴および利点は、添付図面を参照して以下に行う詳細な説明によって、より明らかとなろう。
【図面の簡単な説明】
【００３３】
【図１】本発明の第１実施形態に基づくＬＥＤ照明器具を示す正面図である。
【図２】図１のＩＩ−ＩＩ線に沿う断面図である。
【図３】図２のＩＩＩ−ＩＩＩ線に沿う要部断面図である。
【図４】図１のＬＥＤ照明器具のＬＥＤ発光部を示す断面図である。
【図５】図１のＬＥＤ照明器具の製造工程を示す斜視図である。
【図６】図１のＬＥＤ照明器具の変形例の口金を示す正面図である。
【図７】本発明の第２実施形態に基づくＬＥＤ照明器具を示す正面図である。
【図８】図７のＶＩＩＩ−ＶＩＩＩ線に沿う断面図である。
【図９】図７のＬＥＤ照明器具の製造工程を示す斜視図である。
【図１０】本発明の第３実施形態に基づくＬＥＤ照明器具を示す断面図である。
【図１１】本発明の第４実施形態に基づくＬＥＤ照明器具を示す断面図である。
【図１２】本発明の第５実施形態に基づくＬＥＤ照明器具を示す断面図である。
【図１３】本発明の第６実施形態に基づくＬＥＤ照明器具を示す断面図である。
【図１４】本発明の第７実施形態に基づくＬＥＤ照明器具を示す断面図である。
【図１５】図１４のＬＥＤ照明器具のＬＥＤ発光部を示す断面図である。
【図１６】本発明の第８実施形態に基づくＬＥＤランプを示す側面図である。
【図１７】従来のＬＥＤ照明器具の一例を示す断面図である。
【発明を実施するための形態】
【００３４】
以下、本発明の好ましい実施の形態につき、図面を参照して具体的に説明する。
【００３５】
図１〜図３は、本発明の第一実施形態に基づくＬＥＤ照明器具を示している。本実施形態のＬＥＤ照明装置Ａ１は、支持部材１、複数のＬＥＤ発光部２、透光拡散カバー３、電源部４および、一対の口金５を備えている。ＬＥＤ照明装置Ａ１は、一般的な直管形蛍光灯の代替品として用いられることが意図されており、たとえば、図１に示すように天井８１に設置された給電部８２に取り付けられて使用される。
【００３６】
図１は、ＬＥＤ照明器具Ａ１を示す正面図である。図２は、図１のＩＩ−ＩＩ線に沿う断面図である。図３は、図２のＩＩＩ−ＩＩＩ線に沿う要部断面図である。これらの図において、ｚ方向は、鉛直方向を示し、ｚ方向下方が本発明で言う主出射方向に相当する。また、透光拡散カバー３の軸方向をｘ方向とし、ｚ方向およびｘ方向のいずれとも直角である方向をｙ方向としている。
【００３７】
支持部材１は、複数のＬＥＤ発光部２を支持し、かつ透光拡散カバー３に収容されている。本実施形態においては、支持部材１は、複数のＬＥＤ発光部２が搭載された基板１２と、この基板１２が取り付けられた放熱部材１１とを含む。基板１２は、たとえばガラスエポキシ樹脂からなるプリント配線基板であり、長矩形状である。
【００３８】
放熱部材１１は、基板１２を支持し、かつ基板１２を通して複数のＬＥＤ発光部２からの熱を放散する役割を果たすものである。放熱部材１１は、天板部１１ａおよび一対の側板部１１ｂを有する。天板部１１ａは、ｘ方向に延びる長矩形状とされ、かつ基板１２が取り付けられている。一対の側板部１１ｂは、天板部１１ａの幅方向であるｙ方向両端から主出射方向とは反対側であるｚ方向上方に延びている。このような構成により、放熱部材１１は、ｘ方向視略コの字状とされている。放熱部材１１は、たとえばＡｌなどの金属からなり、いわゆる押出成形によって形成される。
【００３９】
各側板部１１ｂには、天板部１１ａの幅方向外方に突出する外方リブ１１ｃが設けられている。外方リブ１１ｃは、ｘ方向に長く延びており、本実施形態においては、放熱部材１１の全長にわたって形成されている。
【００４０】
複数のＬＥＤ発光部２は、ＬＥＤ照明装置Ａ１の光源であり、本実施形態においては、たとえば昼光色などの白色光を発する。複数のＬＥＤ発光部２は、ｘ方向に沿って１列に配置されている。なお、複数のＬＥＤ発光部２が複数列に配置された構成であってもよい。複数のＬＥＤ発光部２は、支持部材１に図示された姿勢で支持されている。本実施形態においては、複数のＬＥＤ発光部２の主出射方向は、ｚ方向下方と一致している。なお、主出射方向とは、ＬＥＤ発光部２から発せられる光の略中心方向を指すものである。主出射方向を中心として、ＬＥＤ発光部２からの光が広がるように出射される。ただし、主出射方向における輝度が最大である必要はない。
【００４１】
図４は、ＬＥＤ発光部２の一例を示している。同図のＬＥＤ発光部２は、ＬＥＤチップ２１、一対のリード２２、ケース２３および封止樹脂２４を具備するＬＥＤモジュールとして構成されている。ＬＥＤチップ２１は、たとえばＧａＮ系半導体からなり、たとえば青色光を発する。封止樹脂２４は、ＬＥＤチップ２１を覆っており、たとえば透明樹脂に蛍光材料が混入された材質からなる。この蛍光材料は、ＬＥＤチップ２１からの青色光によって励起されることにより黄色光を発する。この蛍光材料の種類および濃度は、ＬＥＤチップ２１からの青色光とこの蛍光材料からの黄色光とが混色することにより昼白色などの白色を呈するように調整されている。一対のリード２２は、ＬＥＤチップ２１を支持し、かつＬＥＤチップ２１への導通経路となるものであり、たとえばＣｕ合金などからなる。ケース２３は、たとえば白色樹脂からなり、ＬＥＤチップ２１を囲む枠状である。ケース２３の内側面は、ＬＥＤチップ２１からの光を反射することによりこの光を出射させるリフレクタとして機能している。
【００４２】
透光拡散カバー３は、複数のＬＥＤ発光部２からの光を拡散させつつ透過させるものであり、本実施形態においては、支持部材１、複数のＬＥＤ発光部２および電源部４を収容している。透光拡散カバー３は、ｘ方向を軸方向とする円筒形状である。透光拡散カバー３は、定常材料部３３および強難燃性材料部３４からなる。
【００４３】
定常材料部３３は、たとえばポリカーボネート樹脂に乳白色の拡散材が混入された材質からなり、円筒形状とされている。透光拡散カバー３の定常材料部３３には、一対の内方リブ３６が形成されている。各内方リブ３６は、ｙ方向において内方に突出しており、支持部材１の放熱部材１１の外方リブ１１ｃと係合する。このような定常材料部３３は、たとえば押出成形によって形成される。定常材料部３３の厚さは、たとえば０．８〜２．０ｍｍである。
【００４４】
強難燃性材料部３４は、定常材料部３３よりも燃焼し難く、かつ溶融滴下し難い材質からなる。このような強難燃性材料部３４としては、たとえばガラス繊維からなる基布をポリ塩化ビニルによって覆ったシートを用いることができる。強難燃性材料部３４の厚さは、たとえば０２〜０．５ｍｍ程度である。図２の拡大部分に示すように、本実施形態においては、強難燃性材料部３４は、接着層３５によって定常材料部３３に接合されている。接着層３５は、たとえばエポキシ系接着剤層である。
【００４５】
樹脂材料などの難燃性を表す規格として、アメリカの火災保険会社協会によって制定されたＵＬ９４規格がある。ＵＬ９４規格は、垂直燃焼試験であり、垂直に保持した試料の下端に１０秒間ガスバーナーの炎を接炎させ、燃焼が３０秒以内に止まったならばさらに１０秒間接炎させるという内容である。本実施形態の定常材料部３３および強難燃性材料部３４は、ＵＬ９４規格によって定められる難燃性のグレードが異なるものが用いられている。
【００４６】
定常材料部３３は、ＵＬ９４Ｖ−２に分類されるものである。ＵＬ９４Ｖ−２は、燃焼のし難さについては３０秒以上燃焼を続ける試料がないものの、溶融滴下のし難さについては試料の下方に置かれた脱脂綿を発火させる燃焼する粒子の落下が許容される。強難燃性材料部３４は、ＵＬ９４Ｖ−０に分類されるものである。ＵＬ９４Ｖ−０は、燃焼のし難さについては１０秒以上燃焼を続ける試料がなく、また溶融滴下のし難さについては試料の下方に置かれた脱脂綿を発火させる燃焼する粒子を落下させる試料がないと規定されるものである。このように、強難燃性材料部３４は、定常材料部３３に対してより燃焼しにくく、かつより溶融滴下し難い構成となっている。
【００４７】
図２に示すように、本実施形態においては、強難燃性材料部３４は、定常材料部３３の周方向の一部を径方向外方から覆っている。強難燃性材料部３４は、ＬＥＤ発光部２に対して主出射方向であるｚ方向下方に位置しており、本実施形態においては、ＬＥＤ発光部２のｚ方向直下に強難燃性材料部３４の周方向中心が位置している。強難燃性材料部３４が定常材料部３３を覆う範囲は、周方向において１２０°以上１８０°以下である。本実施形態においては、強難燃性材料部３４と定常材料部３３とが重なった領域が強難燃性領域３２と定義できる。また、強難燃性材料部３４とは重ならない強難燃性材料部３４のみの領域を定常領域３１と定義できる。すなわち、強難燃性領域３２が主出射方向であるｚ方向下方を中心として１２０°以上１８０°以下の範囲に設定されており、定常領域３１が強難燃性領域３２に対して周方向に続く領域として設定されている。
【００４８】
電源部４は、たとえば商用の１００Ｖ交流電力を、複数のＬＥＤ発光部２を点灯させるのに適した直流電力に変換する機能を果たす。電源部４は、ｘ方向視コの字状とされた支持部材１の放熱部材１１に収容されている。電源部４は、電源基板４１および複数の電子部品４２からなる。電源基板４１は、たとえばガラスエポキシ樹脂からなるプリント配線基板である。複数の電子部品４２は、たとえばコントロールＩＣ、ダイオード、トランス、コンデンサおよび抵抗器などである。
【００４９】
一対の口金５は、透光拡散カバー３の軸方向であるｘ方向両端に設けられており、給電部８２に取り付けられ、かつ給電部８２からの電力を受ける部位である。各口金５は、ケース５１および一対のピン５２を備えている。ケース５１は、例えば樹脂からなり、口金５の外形を規定するものである。ケース５１には、支持部５１ｃが設けられている。支持部５１ｃは、支持部材１の放熱部材１１のｘ方向端部を支持するものである。
【００５０】
一対のピン５２は、ケース５１に支持されており、ｘ方向外方に突出している。ピン５２は、給電部８２に挿入されるとともに、給電部８２と電源部４との間の導通経路の一部を構成する。
【００５１】
図５は、ＬＥＤ照明装置Ａ１の製造方法の一工程を示している。同図に示された工程は、定常材料部３３に強難燃性材料部３４を貼り付ける工程である。同図においては、ＬＥＤ照明装置Ａ１のうち強難燃性材料部３４および接着層３５を除く要素によって構成されたＬＥＤ照明器具が示されている。このＬＥＤ照明器具は、定常材料部３３のみによって支持部材１、複数のＬＥＤ発光部２および電源部４を収容しており、定常材料部３３の両端に一対の口金５が取り付けられている。すなわち、このＬＥＤ照明器具は、給電部８２に取り付けられることによって点灯可能なものである。ただし、透光拡散カバー３に相当する部材が定常材料部３３のみによって構成されているため、ＵＬ９４Ｖ−２相当の難燃性を示す。このようなＬＥＤ照明器具の定常材料部３３に対して、あらかじめ接着層３５を設けておいた強難燃性材料部３４を貼り付ける。これにより、定常材料部３３および強難燃性材料部３４を備える透光拡散カバー３が構成される。強難燃性材料部３４のｘ方向寸法は、一対の口金５間の距離よりも若干短いものが好ましい。
【００５２】
図６は、ＬＥＤ照明装置Ａ１の変形例における口金５をｘ方向内方側からみた正面図である。本変形例においては、図５に示した製造方法とは異なり、定常材料部３３と強難燃性材料部３４とをあらかじめ接合した後に、支持部材１、複数のＬＥＤ発光部２および電源部４の収容と一対の口金５の取り付けが行われる。強難燃性材料部３４のｘ方向寸法は、定常材料部３３と同程度とされる。同図に示すように、ケース５１は、円筒部５１ａを有している。円筒部５１ａは、ｘ方向を軸方向とする円筒形状であり、透光拡散カバー３のｘ方向端部を収容している。また、本変形例においては、円筒部５１ａには、凹部５１ｂが形成されている。凹部５１ｂは、円筒部５１ａの周方向における一部分が径方向に凹んだ部位である。凹部５１ｂの深さは、強難燃性材料部３４の厚さと同程度か若干深い。また、凹部５１ｂが設けられた領域は、強難燃性材料部３４が設けられた領域と同じか、若干広い領域とされている。この凹部５１ｂに、強難燃性材料部３４が収容される。
【００５３】
次に、ＬＥＤ照明装置Ａ１の作用について説明する。
【００５４】
本実施形態によれば、ＬＥＤ発光部２のｚ方向下方に、外部に露出した強難燃性材料部３４が設けられている。このため、万一の火災などの事態において、強難燃性材料部３４は、定常材料部３３よりも燃焼し難く、かつ溶融滴下し難いため、ＬＥＤ照明装置Ａ１が延焼したり、溶融した液滴が落下することを抑制することができる。したがって、万一の火災などの事態において被害の甚大化を抑制しうる。
【００５５】
ＬＥＤ照明装置Ａ１が天井に取り付けられた場合、ＬＥＤ発光部２の主出射方向はｚ方向下方となる。このため、万一の火災などの事態においては、ＬＥＤ発光部２から多くの光が照射される方向から、炎が向かってくる状態が想定される。ＬＥＤ発光部２に対して主出射方向であるｚ方向下方に強難燃性材料部３４を設けることにより、定常材料部３３が炎に直接あぶられることを防止することが可能である。強難燃性材料部３４が設けられた範囲を１２０°以上１８０°以下とすることは、燃焼のしにくさおよび溶融滴下のし難さを発揮しつつ、コストの不当な増大を回避するのに適している。
【００５６】
強難燃性材料部３４は、定常材料部３３よりも燃焼し難く、かつ溶融滴下し難いため、材料のコストが相対的に高い。透光拡散カバー３のすべてを強難燃性材料部３４によって構成することに比べて、透光拡散カバー３を定常材料部３３および強難燃性材料部３４によって構成することにより、透光拡散カバー３のコスト、ひいてはＬＥＤ照明装置Ａ１のコストの増大を緩和することができる。
【００５７】
円筒形状の３３にシートとして構成された強難燃性材料部３４を接合する構成は、比較的容易に透光拡散カバー３を構成できるという利点がある。また、図５を参照して説明した接合作業は、定常材料部３３のみからなるＬＥＤ照明器具がすでに天井などに取り付けられている場合に、強難燃性材料部３４を後から接合することにより、既存のＬＥＤ照明装置をＬＥＤ照明装置Ａ１へと容易に変更することができる。
【００５８】
ＬＥＤ照明装置Ａ１の製造当初から強難燃性材料部３４を接合しておく場合には、図６に示した口金５のケース５１の円筒部５１ａに凹部５１ｂに強難燃性材料部３４を収容することにより、ケース５１に透光拡散カバー３を適切に取り付けることができる。また、一対の口金５のケース５１どうしの間の距離よりも強難燃性材料部３４のｘ方向長さを長くしておくことにより、強難燃性材料部３４のｘ方向両端の境界が直接目視されることを回避することができる。
【００５９】
図７〜図１６は、本発明の他の実施形態を示している。なお、これらの図において、上記実施形態と同一または類似の要素には、上記実施形態と同一の符号を付している。
【００６０】
図７および図８は、本発明の第二実施形態に基づくＬＥＤ照明器具を示している。本実施形態のＬＥＤ照明装置Ａ２は、主に透光拡散カバー３の構成が上述した実施形態と異なっている。
【００６１】
本実施形態においては、透光拡散カバー３の強難燃性材料部３４は、弾性挙動を示す弾性材料からなり、ｘ方向視において部分円筒形状である。また、強難燃性材料部３４は、上述した実施形態と同様に定常材料部３３よりも燃焼し難く、かつ溶融滴下し難い材料からなり、たとえばＵＬ９４Ｖ−０に分類される材質からなる。このような材質は、たとえば、ガラス繊維からなる基布を所定の樹脂によって覆った構成が挙げられる。
【００６２】
図８に示すように、強難燃性材料部３４は、定常材料部３３を周方向において１８０°を超える領域を占めており、径方向外方から定常材料部３３に嵌めこまれている。強難燃性材料部３４の装着は、たとえば図９に示すように、図５を参照して説明した定常材料部３３のみを有するＬＥＤ照明器具に対して強難燃性材料部３４を嵌めこむ作業を行うことによりなされる。
【００６３】
本実施形態においては、強難燃性材料部３４と定常材料部３３とが重なる領域が定常領域３１となっており、周方向において１８０°を超える領域を占めている。また、周方向において定常領域３１以外の領域が、定常材料部３３のみによって構成される強難燃性領域３２とされている。
【００６４】
このような実施形態によっても、万一の火災などの事態において被害の甚大化を抑制しうる。また、図９にしめすように、本実施形態の強難燃性材料部３４は、既存のＬＥＤ照明器具の定常材料部３３に容易かつ確実に取り付けることができる。
【００６５】
図１０は、本発明の第三実施形態に基づくＬＥＤ照明器具を示している。本実施形態のＬＥＤ照明装置Ａ３は、主に透光拡散カバー３の構成が上述した実施形態と異なっている。
【００６６】
本実施形態においては、透光拡散カバー３は、円筒形状の部材のみによって構成されている。そして、透光拡散カバー３の周方向において、定常材料部３３と強難燃性材料部３４とが互いに重ならずかつ隣り合っている。
【００６７】
ＬＥＤ発光部２に対して主走査方向であるｚ方向下方には、強難燃性材料部３４が設けられている。強難燃性材料部３４が設けられた範囲は、周方向において１２０°以上１８０°以下である。この範囲は、上述したＬＥＤ照明装置Ａ１と同様である。定常材料部３３は、強難燃性材料部３４以外の領域に設けられている。本実施形態においては、強難燃性材料部３４が設けられた領域が強難燃性領域３２となっており、定常材料部３３が設けられた領域が定常領域３１となっている。このような透光拡散カバー３は、たとえば、定常材料部３３を先行して形成した後に、この強難燃性材料部３４と金型とを用いた金型成型によって定常材料部３３を形成することによって形成することができる。本実施形態の強難燃性材料部３４は、定常材料部３３と同様に乳白色の拡散材を含む半透明のものとして構成されている。
【００６８】
このような実施形態によっても、万一の火災などの事態において被害の甚大化を抑制しうる。また、定常材料部３３と強難燃性材料部３４との境界を目立たない態様とできるという利点がある。
【００６９】
図１１は、本発明の第四実施形態に基づくＬＥＤ照明器具を示している。本実施形態のＬＥＤ照明装置Ａ４は、支持部材１および透光拡散カバー３の構成が上述した実施形態と異なっている。なお、本実施形態においては、電源部４は、たとえば図示された箇所からｘ方向に離間した所定のスペースに収容されている。
【００７０】
透光拡散カバー３は、部分円筒形状とされている。透光拡散カバー３は、ｘ方向視において１８０°か、１８０°を若干超える程度の範囲を占めている。透光拡散カバー３は、定常材料部３３および強難燃性材料部３４からなる。
【００７１】
定常材料部３３は、たとえばポリカーボネート樹脂に乳白色の拡散材が混入された材質からなり、部分円筒形状とされている。このような定常材料部３３は、たとえば押出成形によって形成される。定常材料部３３の厚さは、たとえば０．８〜２．０ｍｍである。定常材料部３３は、その周方向両端部が、支持部材１に対して嵌め込みまたは接合などの手段によって取り付けられている。
【００７２】
強難燃性材料部３４は、定常材料部３３よりも燃焼し難く、かつ溶融滴下し難い材質からなる。このような強難燃性材料部３４としては、たとえばガラス繊維からなる基布をポリ塩化ビニルによって覆ったシートを用いることができる。強難燃性材料部３４の厚さは、たとえば０２〜０．５ｍｍ程度である。図２の拡大部分に示したように、本実施形態においては、強難燃性材料部３４は、接着層３５によって定常材料部３３に接合されている。接着層３５は、たとえばエポキシ系接着剤層である。
【００７３】
たとえば、定常材料部３３は、ＵＬ９４Ｖ−２に分類されるものであり、強難燃性材料部３４は、ＵＬ９４Ｖ−０に分類されるものである。このように、強難燃性材料部３４は、定常材料部３３に対してより燃焼しにくく、かつより溶融滴下し難い構成となっている。
【００７４】
強難燃性材料部３４は、定常材料部３３の周方向の一部を径方向外方から覆っている。強難燃性材料部３４は、ＬＥＤ発光部２に対して主出射方向であるｚ方向下方に位置しており、本実施形態においては、ＬＥＤ発光部２のｚ方向直下に強難燃性材料部３４の周方向中心が位置している。強難燃性材料部３４が定常材料部３３を覆う範囲は、周方向において１２０°以上１８０°以下である。本実施形態においては、強難燃性材料部３４と定常材料部３３とが重なった領域が強難燃性領域３２と定義できる。また、強難燃性材料部３４とは重ならない強難燃性材料部３４のみの領域を定常領域３１と定義できる。すなわち、強難燃性領域３２が主出射方向であるｚ方向下方を中心として１２０°以上１８０°以下の範囲に設定されており、定常領域３１が強難燃性領域３２に対して周方向に続く領域として設定されている。
【００７５】
支持部材１は、放熱部材１１および基板１２を有している。放熱部材１１は、天板部１１ａおよび複数のフィン１１ｄを有している。天板部１１ａは、ｘ方向に長く延びる長矩形状であり、基板１２を支持している。複数のフィン１１ｄは、天板部１１ａから輸出者方向とは反対側であるｚ方向上方に互いに平行に延びている。複数のフィン１１ｄは、透光拡散カバー３からｚ方向上方に露出している。
【００７６】
このような実施形態によっても、万一の火災などの事態において被害の甚大化を抑制しうる。
【００７７】
図１２は、本発明の第五実施形態に基づくＬＥＤ照明器具を示している。本実施形態のＬＥＤ照明装置Ａ５は、透光拡散カバー３の構成が上述したＬＥＤ照明装置Ａ４と異なっており、透光拡散カバー３以外の構成は、ＬＥＤ照明装置Ａ４と共通している。
【００７８】
透光拡散カバー３は、部分円筒形状とされている。透光拡散カバー３は、ｘ方向視において１８０°か、１８０°を若干超える程度の範囲を占めている。透光拡散カバー３は、定常材料部３３および強難燃性材料部３４からなる。
【００７９】
定常材料部３３は、たとえばポリカーボネート樹脂に乳白色の拡散材が混入された材質からなり、部分円筒形状とされている。このような定常材料部３３は、たとえば押出成形によって形成される。定常材料部３３の厚さは、たとえば０．８〜２．０ｍｍである。定常材料部３３は、その周方向両端部が、支持部材１に対して嵌め込みまたは接合などの手段によって取り付けられている。
【００８０】
本実施形態においては、透光拡散カバー３の強難燃性材料部３４は、弾性挙動を示す弾性材料からなり、ｘ方向視において部分円筒形状である。また、強難燃性材料部３４は、上述した実施形態と同様に定常材料部３３よりも燃焼し難く、かつ溶融滴下し難い材料からなり、たとえばＵＬ９４Ｖ−０に分類される材質からなる。このような材質は、たとえば、ガラス繊維からなる基布を所定の樹脂によって覆った構成が挙げられる。
【００８１】
図８に示すように、強難燃性材料部３４は、定常材料部３３を周方向において１８０°を超える領域を占めており、定常材料部３３と同程度の範囲か、あるいは定常材料部３３を若干超える範囲を占めている。そして、強難燃性材料部３４は、定常材料部３３に対して径方向外方から定常材料部３３に嵌めこまれている。
【００８２】
本実施形態においては、強難燃性材料部３４と定常材料部３３とが重なる領域が定常領域３１となっており、周方向において１８０°を超える領域を占めている。特に、図示された構成においては、強難燃性材料部３４が定常材料部３３の周方向全域を覆っている。このため、本実施形態の透光拡散カバー３は、強難燃性領域３２のみを有しており、上述した定常領域３１を有さない構成となっている。
【００８３】
このような実施形態によっても、万一の火災などの事態において被害の甚大化を抑制しうる。
【００８４】
図１３は、本発明の第六実施形態に基づくＬＥＤ照明器具を示している。本実施形態のＬＥＤ照明装置Ａ６は、透光拡散カバー３の構成が上述したＬＥＤ照明装置Ａ４およびＬＥＤ照明装置Ａ５と異なっており、透光拡散カバー３以外の構成は、ＬＥＤ照明装置Ａ４およびＬＥＤ照明装置Ａ５と共通している。
【００８５】
本実施形態においては、透光拡散カバー３は、部分円筒形状の部材のみによって構成されている。そして、透光拡散カバー３の周方向において、定常材料部３３と強難燃性材料部３４とが互いに重ならずかつ隣り合っている。
【００８６】
ＬＥＤ発光部２に対して主走査方向であるｚ方向下方には、強難燃性材料部３４が設けられている。強難燃性材料部３４が設けられた範囲は、周方向において１２０°以上１８０°以下である。この範囲は、上述したＬＥＤ照明装置Ａ１と同様である。定常材料部３３は、強難燃性材料部３４以外の領域に設けられている。本実施形態においては、強難燃性材料部３４が設けられた領域が強難燃性領域３２となっており、定常材料部３３が設けられた領域が定常領域３１となっている。このような透光拡散カバー３は、たとえば、定常材料部３３を先行して形成した後に、この強難燃性材料部３４と金型とを用いた金型成型によって定常材料部３３を形成することによって形成することができる。
【００８７】
このような実施形態によっても、万一の火災などの事態において被害の甚大化を抑制しうる。
【００８８】
図１４は、本発明の第七実施形態に基づくＬＥＤ照明器具を示している。本実施形態のＬＥＤ照明装置Ａ７は、一般的な電球の代替品として用いられる。ＬＥＤ照明装置Ａ７は、支持部材１、ＬＥＤ発光部２、透光拡散カバー３、電源部４および口金５を備えている。
【００８９】
支持部材１は、ＬＥＤ発光部２、透光拡散カバー３および口金５を支持しており、放熱部材１１およびブラケット１３からなる。ブラケット１３は、ｚ方向視円形状であり、ＬＥＤ発光部２を支持している。ブラケット１３は、たとえばアルミからなる。放熱部材１１は、略円筒形状とされており、軸方向一端にブラケット１３が取り付けられている。放熱部材１１の外面には、複数のフィンが設けられていてもよい。
【００９０】
ＬＥＤ発光部２は、支持部材１の基板１２に支持されており、ｚ方向下方を主出射方向として発光する。図１５に示すように、本実施形態のＬＥＤ発光部２は、複数のＬＥＤチップ２１、封止樹脂２４、ＬＥＤ基板２５および堰部２６を具備している。
【００９１】
ＬＥＤチップ２１は、たとえばＧａＮ系半導体からなり、たとえば青色光を発する。封止樹脂２４は、複数のＬＥＤチップ２１を覆っており、たとえば透明樹脂に蛍光材料が混入された材質からなる。この蛍光材料は、ＬＥＤチップ２１からの青色光によって励起されることにより黄色光を発する。この蛍光材料の種類および濃度は、ＬＥＤチップ２１からの青色光とこの蛍光材料からの黄色光とが混色することにより昼白色などの白色を呈するように調整されている。ＬＥＤ基板２５は、絶縁材料からなる基材とこの基材上に形成された配線パターンとを有しており、ｚ方向視において矩形状である。本実施形態においては、上記絶縁材料としてセラミックスを用いている。複数のＬＥＤチップ２１は、ＬＥＤ基板２５上にたとえばマトリクス状に実装されている。堰部２６は、ＬＥＤ基板２５の外縁部分に形成されており、ｚ方向視において矩形枠状である。堰部２６は、たとえばシリコーン樹脂からなる。堰部２６によって囲まれた領域に複数のＬＥＤチップ２１が配置されており、この領域が封止樹脂２４によって埋められている。
【００９２】
口金５は、透光拡散カバー３に対して主出射方向とは反対側であるｚ方向上方に配置されており、支持部材１に取り付けられている。口金５は、一般的な電球が取り付けられるいわゆるソケットにＬＥＤ照明装置Ａ７を取り付けるためのものである。
【００９３】
透光拡散カバー３は、球殻形状とされている。透光拡散カバー３は、定常材料部３３および強難燃性材料部３４からなる。
【００９４】
定常材料部３３は、たとえばポリカーボネート樹脂に乳白色の拡散材が混入された材質からなり、部分球殻形状とされている。定常材料部３３の厚さは、たとえば０．８〜２．０ｍｍである。定常材料部３３は、その周方向両端部が、支持部材１に対して嵌め込みまたは接合などの手段によって取り付けられている。
【００９５】
強難燃性材料部３４は、定常材料部３３よりも燃焼し難く、かつ溶融滴下し難い材質からなる。このような強難燃性材料部３４としては、たとえばガラス繊維からなる基布をポリ塩化ビニルによって覆ったシートを用いることができる。強難燃性材料部３４の厚さは、たとえば０２〜０．５ｍｍ程度である。図２の拡大部分に示したように、本実施形態においては、強難燃性材料部３４は、接着層３５によって定常材料部３３に接合されている。接着層３５は、たとえばエポキシ系接着剤層である。あるいは、強難燃性材料部３４を構成する材質となる液状材料に、定常材料部３３の一部を漬けた後に、この液状材料を硬化させることによっても、強難燃性材料部３４を形成することができる。
【００９６】
たとえば、定常材料部３３は、ＵＬ９４Ｖ−２に分類されるものであり、強難燃性材料部３４は、ＵＬ９４Ｖ−０に分類されるものである。このように、強難燃性材料部３４は、定常材料部３３に対してより燃焼しにくく、かつより溶融滴下し難い構成となっている。
【００９７】
強難燃性材料部３４は、定常材料部３３の周方向の一部を外方から覆っている。強難燃性材料部３４は、ＬＥＤ発光部２に対して主出射方向であるｚ方向下方に位置しており、本実施形態においては、ＬＥＤ発光部２のｚ方向直下に強難燃性材料部３４の中心が位置している。強難燃性材料部３４が定常材料部３３を覆う範囲は、主出射方向を含むｚ方向に対して直角である方向において１２０°以上１８０°以下である。本実施形態においては、強難燃性材料部３４と定常材料部３３とが重なった領域が強難燃性領域３２と定義できる。また、強難燃性材料部３４とは重ならない強難燃性材料部３４のみの領域を定常領域３１と定義できる。すなわち、強難燃性領域３２が主出射方向であるｚ方向下方を中心として１２０°以上１８０°以下の範囲に設定されており、定常領域３１が強難燃性領域３２に続く領域として設定されている。
【００９８】
なお、透光拡散カバー３の構成については、図１４に示された構成に変えて、ＬＥＤ照明装置Ａ２およびＬＥＤ照明装置Ａ３の構成を採用してもよい。
【００９９】
このような実施形態によっても、万一の火災などの事態において被害の甚大化を抑制しうる。また、本実施形態から理解できるように、本発明は様々なＬＥＤ照明器具に適用することが可能である。
【０１００】
図１６は、本発明の第八実施形態に基づくＬＥＤ照明器具を示している。本実施形態のＬＥＤ照明装置Ａ８は、天井直付灯として用いられる。ＬＥＤ照明装置Ａ８は、支持部材１、複数のＬＥＤ発光部２、透光拡散カバー３および電源部４を備えている。
【０１０１】
支持部材１は、複数のＬＥＤ発光部２、透光拡散カバー３および４を支持している。本実施形態においては、支持部材１は、基板１２および板金部１４からなる。板金部１４は、金属製の板部材を切断および折り曲げ加工することによって形成されており、ｚ方向視において略円形状である。基板１２は、板金部１４に支持されており、複数のＬＥＤ発光部２が搭載される。
【０１０２】
複数のＬＥＤ発光部２は、主出射方向を含むｚ方向に対して直角であるｘｙ平面に沿って二次元的に配置されている。ＬＥＤ発光部２の構成は、たとえば図４を参照して説明した構成とすればよい。
【０１０３】
電源部４は、支持部材１の適所に収容されている。また、本実施形態においては、支持部材１の中央に取付部品が設けられている。この取付部品は、ＬＥＤ照明装置Ａ８を天井に取り付けるために用いられる汎用部品である。
【０１０４】
透光拡散カバー３は、ｚ方向視略円形状であり、主走査方向であるｚ方向下方に若干膨出した形状とされている。透光拡散カバー３は、定常材料部３３および強難燃性材料部３４からなる。
【０１０５】
定常材料部３３は、たとえばポリカーボネート樹脂に乳白色の拡散材が混入された材質からなり、ｚ方向下方に若干膨出したｚ方向視略円形状とされている。定常材料部３３の厚さは、たとえば０．８〜２．０ｍｍである。定常材料部３３は、その周方向両端部が、支持部材１に対して嵌め込みまたは接合などの手段によって取り付けられている。
【０１０６】
強難燃性材料部３４は、定常材料部３３よりも燃焼し難く、かつ溶融滴下し難い材質からなる。このような強難燃性材料部３４としては、たとえばガラス繊維からなる基布をポリ塩化ビニルによって覆ったシートを用いることができる。強難燃性材料部３４の厚さは、たとえば０２〜０．５ｍｍ程度である。図２の拡大部分に示したように、本実施形態においては、強難燃性材料部３４は、接着層３５によって定常材料部３３に接合されている。接着層３５は、たとえばエポキシ系接着剤層である。あるいは、強難燃性材料部３４を構成する材質となる液状材料に、定常材料部３３の一部を漬けた後に、この液状材料を硬化させることによっても、強難燃性材料部３４を形成することができる。
【０１０７】
たとえば、定常材料部３３は、ＵＬ９４Ｖ−２に分類されるものであり、強難燃性材料部３４は、ＵＬ９４Ｖ−０に分類されるものである。このように、強難燃性材料部３４は、定常材料部３３に対してより燃焼しにくく、かつより溶融滴下し難い構成となっている。
【０１０８】
強難燃性材料部３４は、定常材料部３３の周方向の一部を外方から覆っている。強難燃性材料部３４は、ＬＥＤ発光部２に対して主出射方向であるｚ方向下方に位置しており、本実施形態においては、ＬＥＤ発光部２のｚ方向直下に強難燃性材料部３４の中心が位置している。強難燃性材料部３４が定常材料部３３を覆う範囲は、主出射方向を含むｚ方向に対して直角である方向において１２０°以上１８０°以下である。本実施形態においては、強難燃性材料部３４と定常材料部３３とが重なった領域が強難燃性領域３２と定義できる。また、強難燃性材料部３４とは重ならない強難燃性材料部３４のみの領域を定常領域３１と定義できる。すなわち、強難燃性領域３２が主出射方向であるｚ方向下方を中心として１２０°以上１８０°以下の範囲に設定されており、定常領域３１が強難燃性領域３２に続く領域として設定されている。
【０１０９】
なお、透光拡散カバー３の構成については、図１６に示された構成に変えて、ＬＥＤ照明装置Ａ２およびＬＥＤ照明装置Ａ３の構成を採用してもよい。
【０１１０】
このような実施形態によっても、万一の火災などの事態において被害の甚大化を抑制しうる。また、本実施形態から理解できるように、本発明は様々なＬＥＤ照明器具に適用することが可能である。
【０１１１】
本発明に係るＬＥＤ照明器具は、上述した実施形態に限定されるものではない。本発明に係るＬＥＤ照明器具の各部の具体的な構成は、種々に設計変更自在である。
【符号の説明】
【０１１２】
Ａ１〜Ａ８      ＬＥＤ照明装置
１      支持部材
１１      放熱部材
１１ａ      天板部
１１ｂ      側板部
１１ｃ      外方リブ
１１ｄ      フィン
１２      基板
１３      ブラケット
１４      板金部
２      ＬＥＤ発光部
２１      ＬＥＤチップ
２２      リード
２３      ケース
２４      封止樹脂
２５      ＬＥＤ基板
２６      堰部
３      透光拡散カバー
３１      定常領域
３２      強難燃性領域
３３      定常材料部
３４      強難燃性材料部
３５      接着層
３６      内方リブ
４      電源部
４１      電源基板
４２      電子部品
５      口金
５１      ケース
５１ａ      円筒部
５１ｂ      凹部
５１ｃ      支持部
５２      ピン
８２      給電部
８１      天井
【図１】
2015103294.tif 000003
【図２】
2015103294.tif 000004
【図３】
2015103294.tif 000005
【図４】
2015103294.tif 000006
【図５】
2015103294.tif 000007
【図６】
2015103294.tif 000008
【図７】
2015103294.tif 000009
【図８】
2015103294.tif 000010
【図９】
2015103294.tif 000011
【図１０】
2015103294.tif 000012
【図１１】
2015103294.tif 000013
【図１２】
2015103294.tif 000014
【図１３】
2015103294.tif 000015
【図１４】
2015103294.tif 000016
【図１５】
2015103294.tif 000017
【図１６】
2015103294.tif 000018
【図１７】
2015103294.tif 000019